(57)【要約】前記ディスクカートリッジは、ディスクが収納されるケースと、ケースに設置され、外部に開放された開放ホールが形成されたカバーと、ケース内のディスクの下方に移動可能に設置されてそのケースに形成された開口ホールを開閉するシャッタを含み、ケースにはシャッタの移動軌跡に沿ってガイドホールが形成され、シャッタにはガイドホールに摺動自在に挿入され、その端部がガイドホールの周辺部にかかる支持部材が設けられたことを特徴とする。このような構成によれば、シャッタが閉じた状態で開口ホールを通じて外力が加えられても支持部材の端部がガイドホールの周辺部にかかっていて、シャッタの変形を防止でき、開口ホールの密閉状態を堅固に維持できる。
2005516338.tif 000002
【特許請求の範囲】
【請求項１】
ディスクが収納されるケースと、前記ケースに設置され、外部に開放された開放ホールが形成されたカバーと、前記ケース内のディスクの下方に移動可能に設置されてそのケースに形成された開口ホールを開閉するシャッタと、を含むディスクカートリッジにおいて、
前記ケースには前記シャッタの移動軌跡に沿ってガイドホールが形成され、
前記シャッタには前記ガイドホールに摺動自在に挿入され、その端部が前記ガイドホールの周辺部にかかる支持部材が設けられたことを特徴とするディスクカートリッジ。
【請求項２】
前記シャッタは、相互密着及び離隔されつつ前記開口ホールを開閉する第１、２シャッタ部を含み、
前記第１、２シャッタ部のうち何れか一つには結合溝が形成され、他の一つにはその結合溝に結合される結合突起が形成され、相互密着時、前記結合突起が結合溝に挿し込まれることを特徴とする請求項１に記載のディスクカートリッジ。
【請求項３】
前記シャッタには、所定角度に傾斜した傾斜面を有し、前記ディスクの外周側の非情報領域を支持するように突出した突出部が設けられ、
前記シャッタが開く時には、ディスクが前記傾斜面に沿って降下し、
前記シャッタが閉じる時には、ディスクが前記傾斜面に沿って上昇して前記カバーの開放ホール周囲に密着されることを特徴とする請求項１に記載のディスクカートリッジ。
【請求項４】
前記開放ホール周囲にはシーリング部材が設置され、このシーリング部材にディスクが密着されることを特徴とする請求項３に記載のディスクカートリッジ。
【請求項５】
前記シーリング部材は、前記ディスクの密着力を受けるにつれて弾性変形の可能な材質よりなることを特徴とする請求項４に記載のディスクカートリッジ。
【請求項６】
前記シーリング部材は、不織布とゴムのうち選択された何れか一つよりなることを特徴とする請求項５に記載のディスクカートリッジ。
【請求項７】
前記カバーは、前記ケースに回動しつつ開閉可能に設置されたことを特徴とする請求項１に記載のディスクカートリッジ。
【請求項８】
前記開放ホールは、その面積が前記ディスクの面積より狭く形成されたことを特徴とする請求項７に記載のディスクカートリッジ。
【請求項９】
前記ケースには前記傾斜面に沿って降下するディスクの内周側の非情報領域を支持する突起が設けられたことを特徴とする請求項１に記載のディスクカートリッジ。
【発明の詳細な説明】
【技術分野】
【０００１】
本発明は情報記録再生媒体であるディスクを収納してホコリや指紋のような汚染源からその記録面を保護するディスクカートリッジに関する。
【背景技術】
【０００２】
一般的に、ディスクカートリッジは、情報記録再生媒体であるディスクを収納してディスクドライブ装置に装着されるものであって、図１に示されたように、ディスクＤを収納するケース１０１と、ケース１０１内に回転自在に設置されてディスクドライブ装置のピックアップ（図示せず）がディスクＤにアクセスできるようにケース１０１に形成された開口ホール１０２を選択的に開閉するシャッタ１１０及び、ケース１０１の上部に固定されるカバー１０３を備える。１０３ｂはディスクＤの交換のためにカバー１０３に形成された開放ホールを表し、１０３ａは開放ホール１０３ｂを通じてディスクＤが離脱されないようにカバー１０３に摺動自在に設置された離脱防止レバーを表す。したがって、ディスクＤを装着する時には、離脱防止レバー１０３ａをディスクＤと干渉されないように後進させ、装着が完了した後には、離脱防止レバー１０３ａを図面と共に前進させてその前端部に開放ホール１０３ｂを通じたディスクＤの離脱を防止させる。
【０００３】
このようなディスクが装着されたディスクカートリッジ１００をディスクドライブ装置に進入させれば、図２Ａに示されたように、ディスクドライブ装置に設置されたオープニングレバー１２０がロッキング片１１１ａを先に押してシャッタ１１０の突起１１１ｃとケース１０１の溝１０１ａ間のロッキングを解除させ、次いで、図２Ｂに示されたように、干渉片１１１ｂを押して回転させる。シャッタ１１０は、左右回転軸１１０ａにそれぞれ回転自在に設置されて連動ギア部１１３で噛み合った第１、２シャッタ部１１１，１１２より構成されており、干渉片１１１ｂと一体に連結された第１シャッタ部１１１が時計方向に回転すれば、第２シャッタ部１１２は反時計方向に回転し、これにより、第１、２シャッタ部１１１，１１２の間が広がりつつ開口ホール１０２が開放される。したがって、以後には開放された開口ホール１０２を通じてディスクドライブ装置のピックアップ（図示せず）がディスクＤの記録面にアクセスし、情報の記録及び／または再生作業を行う。そして、第１シャッタ部１１１とケース１０１の底面間にはその第１シャッタ部１１１を図面の反時計方向、すなわち、開口ホール１０２を閉じる方向に付勢させるトーションバネ（図示せず）が回転軸１１０ａに設置されており、オープニングレバー１２０によって加えられた力が除去されれば、シャッタ１１０を元来の密閉状態に復帰させる。
【０００４】
しかし、このような構成では、シャッタ１１０が閉じている状態で開口ホール１０２を通じてシャッタ１１０を力強く押せば、シャッタ１１０が変形される恐れがある。すなわち、このシャッタ１１０は、一側が回転軸１１０ａに回転自在に結合された状態でだけ支持されているため、例えば、ユーザが開口ホール１０２を通じてシャッタ１１０の他側をディスクＤ方向に頻繁に押せば、シャッタ１１０が変形される恐れがある。そのようになる場合、開閉動作が定常的になされず、開閉動作がなされても第１、２シャッタ１１１，１１２間に隙間が生じてシャッタの機能が定常的に行われなくなる可能性が多い。
【０００５】
また、前記従来の構成では、ケース１０１の内部にシャッタ１１０を設置し、そのシャッタ１１０上にディスクＤを載置するため、シャッタ１１０の開閉動作時にディスク記録面（図面でのディスク下面）とシャッタ１１０間に面接触が発生し、ディスク記録面にスクラッチのような損傷を与える恐れもある。
【０００６】
したがって、シャッタ１１０の変形可能性を抑制し、開閉動作時にもディスクの記録面を保護できる構造が要求されている。
【発明の開示】
【発明が解決しようとする課題】
【０００７】
本発明が解決しようとする目的は、外力によるシャッタの変形可能性を抑制してディスクをさらに安定的に保管できるように改善されたディスクカートリッジを提供することである。
【０００８】
前記目的を達成するために本発明は、ディスクが収納されるケースと、前記ケースに設置され、外部に開放された開放ホールが形成されたカバーと、前記ケース内のディスク下方に移動可能に設置されてそのケースに形成された開口ホールを開閉するシャッタと、を含むディスクカートリッジにおいて、前記ケースには前記シャッタの移動軌跡に沿ってガイドホールが形成され、前記シャッタには前記ガイドホールに摺動自在に挿入され、その端部が前記ガイドホールの周辺部にかかるガイド部材が設けられたことを特徴とする。
【発明を実施するための最良の形態】
【０００９】
以下、図面を参照して本発明をさらに詳細に説明する。
【００１０】
図３及び図４は、本発明によるディスクカートリッジを分離状態及び結合状態に表す図である。
【００１１】
図を参照するに、ディスクカートリッジは、ディスクＤを収納するケース２０１と、前記ディスクＤの下方でケース２０１に形成された開口ホール２０２を開閉させるシャッタ２１０、及びケース２０１の上面を覆うカバー２０３を備えている。２４０は、カバー２０３の開放ホール２０３ａの周囲に付着されるシーリング部材である不織布を表す。
【００１２】
まず、シャッタ２１０は、ケース２０１の内部に相互対称的に回転自在に設置された第１、２シャッタ部２１１，２１２よりなる。したがって、第１、２シャッタ部２１１，２１２が互いに開く方向に回転すれば、開口ホール２０２が開放され（図６参照）、一方、互いに閉じる方向に回転すれば、開口ホール２０２が密閉される（図５参照）。２１３は、第１、２シャッタ部２１１，２１２を連動可能に連結させる連動ギア部であって、第１シャッタ部２１１が回転すれば、第２シャッタ部２１２はそれとの対称方向に共に回転する。そして、第１、２シャッタ部２１１，２１２とケース２０１の底面間には開口ホール２０２が閉じる方向にこれらを付勢させるトーションバネ２０４が設置されており、オープニングレバー１２０（図６参照）によって加えられた力が除去されれば、シャッタ２１０を元来の密閉状態に復帰させる。
【００１３】
そして、第１、２シャッタ部２１１，２１２にはディスクＤの外周側のエッジ部Ｄ３に接触する突出部２２０，２３０が形成されている。すなわち、前記ディスクＤには内週側のクランピング領域Ｄ１と、情報の記録される情報領域Ｄ２、及び情報領域Ｄ２の外郭のエッジ部Ｄ３が設けられているが、このうち、非情報領域の一つであるエッジ部Ｄ３を突出部２２０，２３０に支持させることによって、情報領域Ｄ２とシャッタ２１０との接触を防止させた。そして、この突出部２２０，２３０は、ディスクＤが載置された方向に向けて傾斜して降下した傾斜面２２１，２３１を備える。したがって、図５のように、第１、２シャッタ部２１１，２１２が閉じている時には、ディスクＤのエッジ部Ｄ３が突出部２２０，２３０の上端に支持されているが、図６のように、第１、２シャッタ部２１１，２１２が開けば、ディスクＤが傾斜面２２１，２３１に沿って降下する。降下したディスクＤは、ケース２０１に形成された突起２０５によって内周側クランピング領域Ｄ１が支持される。そして、図５のようにシャッタ２１０の密閉によって上昇したディスクＤは、エッジ部Ｄ３が前記シーリング部材である不織布２４０に密着される。これは、カバー２０３とディスクＤのエッジ部Ｄ３間の隙間を塞いでホコリなどの流入の遮断に有効な構成であって、不織布２４０以外にもゴムのようにディスクＤの密着力を受けるにつれて弾性変形の可能な軟らかい材質が採用されうる。
【００１４】
また、第１、２シャッタ部２１１，２１２の下面、すなわち、ディスクＤが載置される面の反対側にはケース２０１に形成されたガイドホール２０６に摺動自在に挿入される支持部材２０７が設けられている。ガイドホール２０６は、第１、２シャッタ部２１１，２１２の回転時に支持部材２０７が動く軌跡に沿って形成されている。したがって、第１、２シャッタ部２１１，２１２の開閉動作時、支持部材２０７は、ガイドホール２０６に沿って摺動する。そして、ガイドホール２０６を通過した支持部材２０７の端部２０７ａは、図７に示されたように、ガイドホール２０６の周辺部２０６ａにかかっている。したがって、矢印Ｆ方向にシャッタ２１０に外力が加えられても端部２０７ａがガイドホール２０６の周辺部２０６ａにかかるため、シャッタ２１０は、ケース２０１の内側に変形しない。ここで、端部２０７ａは、ケース２０１の外側に突出するように構成できるが、図のように、ケース２０１にガイドホール２０６と連通された収容部２０６ｂを形成して端部２０７ａがケース２０１面より外側に突出せず、その内部に収容させることが望ましい。
【００１５】
そして、第１、２シャッタ部２１１，２１２の密着される位置には、図８に示されたように、相互挿入結合される結合突起２１１ａと結合溝２１２ａとがそれぞれ形成されている。これは、開口ホール２０２を密閉しつつ第１シャッタ部２１１と第２シャッタ部２１２とが密着される時に上側を一体的に結合させることによって、矢印Ｆ方向に外力が加えられても相互分離されている時よりは変形が生じ難くした。もちろん、これは相補的に結合される構造の例であるので、図面と反対に第２シャッタ部２１２に結合突起を形成して第１シャッタ部２１１に結合溝を形成することもある。
【００１６】
一方、カバー２０３の開放ホール２０３ａは、ディスクＤの直径より小さく形成されていてディスクＤが開放ホール２０３ａを通じて離脱されることを防止する。その代わりに、ディスクＤを交換する時には図４のようにカバー２０３を回動軸を中心に回動させてオープンさせた後、その内部に収納されたディスクＤを取り出し、新しいディスクを装着すれば良い。２１１ｂは、第１シャッタ部２１１に設けられたものであって、一端には開口ホール２０２を閉じる時に第２シャッタ部２１２のロッキング溝２１２ｂに弾力的に結合されるロッキングフック２１１ｃが備わったロッキング片を表す。
【００１７】
このようにディスクＤが装着されたディスクカートリッジは、図５に示されたように、シャッタ２１０とカバー２０３とが全て閉じた状態でディスクドライブ装置内へ進入する。ディスクカートリッジが進入すれば、図６に示されたように、ディスクドライブ装置に設置されたオープニングレバー１２０がロッキング片２１１ｂを押してロッキングフック２１１ｃとロッキング溝２１２ｂとのロッキングを解除させた後、ロッキング片２１１ｂを押して第１シャッタ部２１１を図の反時計方向に回転させる。それにより、第２シャッタ部２１２は、連動ギア部２１３によって時計方向に回転し、これにより、第１、２シャッタ部２１１，２１２間に開口ホール２０２が開放される。しかし、この時、前記ディスクＤには第１、２シャッタ部２１１，２１２の突出部２２０，２３０だけが接触されており、その接触部位も非情報領域であるディスクＤのエッジ部Ｄ３に限定されているため、シャッタ２１０の開閉動作時にも記録面の情報領域が損傷される恐れはほとんどなくなる。そして、シャッタ２１０が開くにつれてディスクＤは突出部２２０，２３０の傾斜面２２１，２３１に沿って降下して、図６及び図９に示されたように、突起２０５の上面と傾斜面２２１，２３１とに一時的に支持される。この状態で開放された開口ホール２０２を通じてディスクドライブ装置のディスク駆動用ターンテーブル（図示せず）が進入され、カバー２０３の開放ホール２０３ａを通じてクランパー（図示せず）が進入されて突起２０５及び傾斜面２２１，２３１上に支持されているディスクＤをクランピングする。次いで、ターンテーブルの回動と共にディスクＤに対する記録及び再生作業が進められる。
【００１８】
一方、記録再生作業が終了して前記ターンテーブルとクランパーとによるクランピングが解除されれば、ディスクＤは、一旦、突起２０５及び傾斜面２２１，２３１上に非情報領域Ｄ１，Ｄ３が支持された状態に置かれる。この状態でディスクカートリッジがディスクドライブ装置から外れれば、第１、２シャッタ部２１１，２１２が元来の位置に回動されて開口ホール２０２が閉じるが、この時、ディスクＤの外周側のエッジ部Ｄ３が突出部２２０，２３０の傾斜面２２１，２３１に沿って上昇して図５に示された状態に戻る。この時にも情報領域Ｄ２にはシャッタ２１０が接触せずに密閉動作がなされるため、情報領域Ｄ２は安全に保存される。また、この状態では、前述したようにディスクＤのエッジ部Ｄ３が不織布２４０を介在してカバー２０３の開放ホール２０３ａの周囲に密着されているため、その隙間にホコリのような汚染物が流入される可能性も少なくなる。
【００１９】
そして、このようにシャッタ２１０が閉じた状態では、前記のように第１、２シャッタ部２１１，２１２の結合突起２１１ａと結合溝２１２ａとが結合されており、また支持部材２０７の端部２０７ａがガイドホール２０６の周辺部２０６ａにかかっているため、開口ホール２０２を通じてケース２０１の内側にシャッタ２１０を押してもシャッタ２１０が押されなくなる。したがって、外力によるシャッタ２１０の変形も防止し、開口ホール２０２の密閉状態も堅固に維持しうる。
【００２０】
一方、本実施例では、カバー２０３を回動しつつ開閉させ、開放ホール２０３ａはディスクＤより小径の円形ホールで構成して、従来のように別途の離脱防止レバー１０３ａ（図１参照）を設置せずとも開放ホール２０３ａを通じたディスクＤの離脱を防止できるようにした。しかし、ディスクＤが離脱されないように防止することができれば、それ以外に多様な形態の開放ホールが採用されうる。
【００２１】
また、前記実施例では、第１、２シャッタ部２１１，２１２が閉じた時、中央に孔が形成されるようにそれぞれに半円型の切除部２１１ｄ，２１２ｄが形成されたことを例示している。これは、カバー２０３を開いてディスクＤを取り出す時、ユーザがディスクＤの中央ホールに指を挿し込んで取り出し易くシャッタ２１０にも孔を形成したものである。すなわち、シャッタ２１０にも孔が形成されれば、ディスクＤの中央ホールを通じて指をさらに深く挿し込んだ後に曲げることができて、ディスクＤを引出すことが便利であるためである。しかし、ディスクＤの引出し時の不便さがあっても、シャッタ２１０の下方からディスクＤの記録面にくっ付くホコリを減らそうとすれば、このような半円型の切除部をなくす方案も選択できる。
【産業上の利用可能性】
【００２２】
本発明のディスクカートリッジは、次のような効果を有する。
【００２３】
第一に、支持部材の端部をガイドホールの周辺にかけることによって外力によるシャッタの変形を防止し、密閉状態を堅固に維持させうる。
【００２４】
第二に、ケース内のシャッタがディスクの非情報領域にだけ接触するように構成されていて、開口ホールの開閉のための動作時にもディスク情報領域を安全に保存できる。
【００２５】
第三に、シャッタが閉じた状態では、ディスクの外周側のエッジ部がカバーの開放ホール周囲のシーリング部材に密着されるため、ホコリが流入される隙間を塞ぐことによって記録面の汚染可能性を減らせる。
【００２６】
第四に、カバーを回動式で開閉されるようにケースに設置してディスク交換を便利にしつつ、開放ホールの面積をディスク面積より狭くして、別途の離脱防止用部材を設置せずともディスクを安全に収納できる。
【図面の簡単な説明】
【００２７】
【図１】従来のディスクカートリッジを示す斜視図である。
【図２Ａ】図１に示されたディスクカートリッジのシャッタ開閉状態を示す平面図である。
【図２Ｂ】図１に示されたディスクカートリッジのシャッタ開閉状態を示す平面図である。
【図３】本発明によるディスクカートリッジの分離斜視図である。
【図４】図３の結合状態を示す図である。
【図５】図３に示されたディスクカートリッジのシャッタ密閉状態を示す平面図である。
【図６】図３に示されたディスクカートリッジのシャッタ開放状態を示す平面図である。
【図７】図５のＡ−Ａ’線に沿って切断した断面図である。
【図８】図５のＢ−Ｂ’線に沿って切断した断面図である。
【図９】図６のＣ−Ｃ’線に沿って切断した断面図である。
【図１】
2005516338.tif 000003
【図２Ａ】
2005516338.tif 000004
【図２Ｂ】
2005516338.tif 000005
【図３】
2005516338.tif 000006
【図４】
2005516338.tif 000007
【図５】
2005516338.tif 000008
【図６】
2005516338.tif 000009
【図７】
2005516338.tif 000010
【図８】
2005516338.tif 000011
【図９】
2005516338.tif 000012
【国際調査報告】
2005516338.tif 000013